(57)【特許請求の範囲】
【請求項１】
電子機器を装着する装着部を有するケースと、前記装着部に設けた一対の開口部からケース外に突出する突出状態とケース内に引込む引込み状態とに切替可能な一対の給電端子とを備え、前記電子機器が前記装着部に装着されたとき該電子機器の一対の充電端子と前記一対の給電端子とが接触して該電子機器の内蔵電池を充電する充電装置であって、
前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第一可動体の突出押部を前記装着部の外側に突出させる方向に付勢する突出押部用ばねを前記ケース内に設け、
前記第二可動体の上側当接部を前記第一可動体の下側当接部の上に当接させるように付勢すると共に前記第一可動体の傾動に連動して傾動可能に付勢する当接兼連動ばねを前記ケース内に設け、
前記突出押部用ばね及び前記当接兼連動ばねは、前記電子機器が前記装着部に装着されていないとき、前記第一可動体の突出押部を前記装着部の外側に突出するように付勢すると共に前記一対の給電端子を前記引込み状態とし、前記電子機器が前記装着部に装着されたとき、該突出押部用ばね及び当接兼連動ばねの付勢力に打ち勝って前記第一可動体及び前記第二可動体を傾動させて前記一対の給電端子を前記電子機器の一対の充電端子と接触させるようにしたことを特徴とする充電装置。
【請求項２】
電子機器を装着する装着部を有するケースと、前記装着部に設けた一対の開口部からケース外に突出する突出状態とケース内に引込む引込み状態とに切替可能な一対の給電端子とを備え、前記電子機器が前記装着部に装着されたとき該電子機器の一対の充電端子と前記一対の給電端子とが接触して該電子機器の内蔵電池を充電する充電装置であって、
前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第二可動体の上側当接部を前記第一可動体の下側当接部の上に当接させるように付勢すると共に前記第一可動体及び前記第二可動体を傾動可能に付勢する当接兼傾動ばねを前記ケース内に設け、
前記当接兼傾動ばねは、前記電子機器が前記装着部に装着されていないとき、前記第一可動体の前記突出押部を前記装着部の外側に突出するように付勢すると共に前記一対の給電端子を前記引込み状態とし、前記電子機器が前記装着部に装着されたとき、該当接兼傾動ばねの付勢力に打ち勝って前記第一可動体及び前記第二可動体を傾動させて前記一対の給電端子を前記電子機器の一対の充電端子と接触させるようにしたことを特徴とする充電装置。
【請求項３】
前記第一可動体の下側当接部及び前記第二可動体の上側当接部のうち、一方の当接部を平面状とし、他方の当接部を半球面状又は断面円弧状としたことを特徴とする請求項１又は２に記載の充電装置。
【請求項４】
前記第一可動体の下側当接部における上角部を断面円弧状とし、前記第二可動体の上側当接部を平面状としたことを特徴とする請求項１又は２に記載の充電装置。
【発明の詳細な説明】
【技術分野】
【０００１】
本発明は、電子機器の充電装置、例えば携帯電話機の内蔵電池を充電する充電装置に関し、特に、第一可動体及び第二可動体の端部を上下に当接させることにより、両可動体を連動させて、一対の給電端子を電子機器の一対の充電端子に接触させるようにした充電装置に関するものである。
【背景技術】
【０００２】
従来、携帯電話機などの電子機器の内蔵電池を充電する充電装置は各種のものが知られており、それらの中には、図２０〜図２２に示すように、一対の傾動体の連結部を互いに連結して一対の給電端子を電子機器の一対の充電端子にバランスよく接触させるようにした充電装置がある（例えば、特許文献１参照）。
図２０は従来の充電装置の斜視図、図２１は電子機器の装着前の図２０に示す充電装置の断面図、図２２は電子機器の装着状態の図２０に示す充電装置の断面図である。
【０００３】
図２０〜図２２において、８１は、携帯電話機などの電子機器１０１の内蔵電池を充電する充電装置である。
充電装置８１は、電子機器１０１を装着する装着部８２を有するケース８３と、電子機器１０１の一対の充電端子１０２に接触して充電する給電端子８４を有する一対の給電線８５と、各給電線８５が連結されケース８３内に傾動可能に配設している一対の可動体８６とを備えている。
【０００４】
各可動体８６は、一端に、装着部８２に装着される電子機器１０１に押される突出部８７を装着部８２から突出するように設けており、他端に、連結端８８を設け、一対の可動体８６を連結端８８により連結して直線状に配設している。
一方の連結端８８に連結凸部８９を設け、他方の連結端８８に連結凸部８９を案内するスリット９０を設け、一対の連結端８８を互いに傾動可能であって長手方向に移動自在に連結している。
【０００５】
なお、９１は一対の給電端子８４が出入りする一対の開口部、９２は一対の突出部８７が出入りする一対の貫通孔、９３は一対の可動体８６を傾動させる支点軸、９４は一対の可動体８６の突出部８７を突出するように付勢する一対の突出用ばね、９５は電子機器１０１の両端面に設けた一対の係止凹部１０３と係合する一対の係止フック、９６は一対の係止フック９５を係止するように付勢する係止ばね、９７は支持プレートである。
【先行技術文献】
【特許文献】
【０００６】
【特許文献１】特開２００９−１００４９２号公報
【発明の概要】
【発明が解決しようとする課題】
【０００７】
従来の充電装置８１は、直線状に配列した一対の可動体８６の他端に、連結端８８を設けて、一対の給電端子８４をバランスよく連動して、電子機器１０１の一対の充電端子１０２に接触させ、電子機器１０１の内蔵電池を充電するようにしている。
しかしながら、この充電装置８１は、一方の連結端８８に設けた連結凸部８９を、他方の連結端８８に設けたスリット９０に係合させて、一対の連結端８８を互いに傾動可能であって長手方向に移動自在に連結しているから、電子機器１０１を装着部８２に装着したり、装着部８２から取外したりする際に、連結凸部８９とスリット９０とがこすれて「キュキュ」という異音が発生する問題があった。
このような異音が発生するのは、可動体８６を樹脂成型により製作するために、スリット９０を形成する型の合せ面が連結凸部８９とこすれる位置となることを避けられないので、スリット９０に分割ラインとしてのバリが残り、後工程でもこのバリを取除くことができにくいからである。
【０００８】
また、従来の充電装置８１は、連結凸部８９とスリット９０の隙間精度の高い成型をしなければスムーズな傾動及び連結端８８における長手方向の移動ができないため、成型金型が複雑となり、かつ一対の可動体８６の製作及び組立が煩わしいという問題があった。
さらに、従来の充電装置８１は、連結端８８における連結凸部８９とスリット９０とを奥行方向に重ねなければならないので、奥行寸法が大きくなり、薄型化ができにくいという問題があった。
【０００９】
本発明は、このような従来の充電装置が有していた課題を解決しようとするものであり、突出部を有する第一可動体の端部に突出部のない第二可動体の端部を上方から当接させることにより、両可動体を連動させて、一対の給電端子を電子機器の一対の充電端子に接触させるようにすることにより、簡単な構造の成型金型で、異音が生ずることのない、製作及び組立の簡単な薄型の充電装置とすることを目的としている。
【課題を解決するための手段】
【００１０】
請求項１に係る本発明の充電装置は、電子機器を装着する装着部を有するケースと、前記装着部に設けた一対の開口部からケース外に突出する突出状態とケース内に引込む引込み状態とに切替可能な一対の給電端子とを備え、前記電子機器が前記装着部に装着されたとき該電子機器の一対の充電端子と前記一対の給電端子とが接触して該電子機器の内蔵電池を充電する充電装置であって、
前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第一可動体の突出押部を前記装着部の外側に突出させる方向に付勢する突出押部用ばねを前記ケース内に設け、
前記第二可動体の上側当接部を前記第一可動体の下側当接部の上に当接させるように付勢すると共に前記第一可動体の傾動に連動して傾動可能に付勢する当接兼連動ばねを前記ケース内に設け、
前記突出押部用ばね及び前記当接兼連動ばねは、前記電子機器が前記装着部に装着されていないとき、前記第一可動体の突出押部を前記装着部の外側に突出するように付勢すると共に前記一対の給電端子を前記引込み状態とし、前記電子機器が前記装着部に装着されたとき、該突出押部用ばね及び当接兼連動ばねの付勢力に打ち勝って前記第一可動体及び前記第二可動体を傾動させて前記一対の給電端子を前記電子機器の一対の充電端子と接触させるようにしたものである。
【００１１】
請求項２に係る本発明の充電装置は、電子機器を装着する装着部を有するケースと、前記装着部に設けた一対の開口部からケース外に突出する突出状態とケース内に引込む引込み状態とに切替可能な一対の給電端子とを備え、前記電子機器が前記装着部に装着されたとき該電子機器の一対の充電端子と前記一対の給電端子とが接触して該電子機器の内蔵電池を充電する充電装置であって、
前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第二可動体の上側当接部を前記第一可動体の下側当接部の上に当接させるように付勢すると共に前記第一可動体及び前記第二可動体を傾動可能に付勢する当接兼傾動ばねを前記ケース内に設け、
前記当接兼傾動ばねは、前記電子機器が前記装着部に装着されていないとき、前記第一可動体の前記突出押部を前記装着部の外側に突出するように付勢すると共に前記一対の給電端子を前記引込み状態とし、前記電子機器が前記装着部に装着されたとき、該当接兼傾動ばねの付勢力に打ち勝って前記第一可動体及び前記第二可動体を傾動させて前記一対の給電端子を前記電子機器の一対の充電端子と接触させるようにしたものである。
【００１２】
請求項３に係る本発明の充電装置は、請求項１又は２に係る本発明の構成に加え、前記第一可動体の下側当接部及び前記第二可動体の上側当接部のうち、一方の当接部を平面状とし、他方の当接部を半球面状又は断面円弧状としたものである。
【００１３】
請求項４に係る本発明の充電装置は、請求項１又は２に係る本発明の構成に加え、前記第一可動体の下側当接部における上角部を断面円弧状とし、前記第二可動体の上側当接部を平面状としたものである。
【発明の効果】
【００１４】
請求項１に係る本発明の充電装置は、前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第一可動体の突出押部を前記装着部の外側に突出させる方向に付勢する突出押部用ばねを前記ケース内に設け、
前記第二可動体の上側当接部を前記第一可動体の下側当接部の上に当接させるように付勢すると共に前記第一可動体の傾動に連動して傾動可能に付勢する当接兼連動ばねを前記ケース内に設け、
前記突出押部用ばね及び前記当接兼連動ばねは、前記電子機器が前記装着部に装着されていないとき、前記第一可動体の突出押部を前記装着部の外側に突出するように付勢すると共に前記一対の給電端子を前記引込み状態とし、前記電子機器が前記装着部に装着されたとき、該突出押部用ばね及び当接兼連動ばねの付勢力に打ち勝って前記第一可動体及び前記第二可動体を傾動させて前記一対の給電端子を前記電子機器の一対の充電端子と接触させるようにしたから、下側当接部の上に上側当接部を当接させることにより、両可動体を連動させることができ、従来のように異音が発生することがないのである。
すなわち、両可動体を樹脂成型する際に型の合せ面の分割ラインが当接面に位置しないように設けることができるので、当接面にバリが出ることがなく当接面での摺動による異音の発生を防止することができるのである。
また、本発明による上記の当接及び連動機構によれば、充電装置を薄型化できながら、当接力を一定範囲になるようにすればよいので、簡単な金型構造で、両可動体の当接部の製作及び組立を簡単に行うことができる。
【００１５】
請求項２に係る本発明の充電装置は、前記ケース内に設けた支点により傾動可能な第一可動体及び第二可動体を形成すると共に、前記一対の給電端子のうち一方を前記第一可動体の傾動に連動させ、他方を前記第二可動体の傾動に連動させ、
前記第一可動体は、一端に前記装着部に装着された前記電子機器により押される突出押部を設け、中間に前記支点で支持される支持部を設け、他端に下側当接部を設け、
前記第二可動体は、他端に上側当接部を設け、
前記第二可動体の上側当接部を前記第一可動体の下側当接部の上に当接させるように付勢すると共に前記第一可動体及び前記第二可動体を傾動可能に付勢する当接兼傾動ばねを前記ケース内に設け、
前記当接兼傾動ばねは、前記電子機器が前記装着部に装着されていないとき、前記第一可動体の前記突出押部を前記装着部の外側に突出するように付勢すると共に前記一対の給電端子を前記引込み状態とし、前記電子機器が前記装着部に装着されたとき、該当接兼傾動ばねの付勢力に打ち勝って前記第一可動体及び前記第二可動体を傾動させて前記一対の給電端子を前記電子機器の一対の充電端子と接触させるようにしたから、請求項１に係る本発明と同様に、下側当接部の上に上側当接部を当接させることにより、両可動体を連動させることができ、従来のように異音が発生することがないのである。
すなわち、両可動体を樹脂成型する際に型の合せ面の分割ラインが当接面に位置しないように設けることができるので、当接面にバリが出ることがなく当接面での摺動による異音の発生を防止することができるのである。
また、本発明による上記の当接及び連動機構によれば、充電装置を薄型化できながら、当接力を一定範囲になるようにすればよいので、簡単な金型構造で、両可動体の当接部の製作及び組立を簡単に行うことができるのである。
さらに、本発明は、第一可動体にばねを設けずに、第二可動体に当接兼傾動ばねを設けたから、部品点数を削減でき、製作及び組立を一層簡単に行うことができるのである。
【００１６】
請求項３に係る本発明の充電装置は、請求項１又は２に係る本発明の効果に加え、前記第一可動体の下側当接部及び前記第二可動体の上側当接部のうち、一方の当接部を平面状とし、他方の当接部を半球面状又は断面円弧状としたから、両当接部による当接及び連動を一層滑らかにすることができるのである。
【００１７】
請求項４に係る本発明の充電装置は、請求項１又は２に係る本発明の効果に加え、前記第一可動体の下側当接部における上角部を断面円弧状とし、前記第二可動体の上側当接部を平面状としたから、両当接部による当接及び連動を一層滑らかにすることができるのである。
【図面の簡単な説明】
【００１８】
【図１】本発明の第一の実施の形態に係る充電装置の斜視図である。
【図２】図１のケース蓋板を取除いた状態の説明図である。
【図３】図１の正面断面図で、電子機器を装着する前の状態を示す図である。
【図４】図１の正面断面図で、電子機器を装着した状態を示す図である。
【図５】本発明の第一の実施の形態に係る第一可動体及び第二可動体の作動状態を示す正面図である。
【図６】本発明の第一の実施の形態に係る斜視図で、（ａ）が第一可動体、（ｂ）が第二可動体、（ｃ）が（ａ）におけるｃ部分の拡大図である。
【図７】図１の側面断面図である。
【図８】図１の左側面・正面側からの断面斜視図である。
【図９】図１の右正面側からの断面斜視図である。
【図１０】図１の右背面側からの断面斜視図である
【図１１】本発明の第二の実施の形態に係る充電装置の正面断面図で、電子機器を装着する前の状態を示す図である。
【図１２】図１１と同様な図で、電子機器を装着した状態を示す図である。
【図１３】本発明の第二の実施の形態に係る第一可動体及び第二可動体の作動状態を示す正面図である。
【図１４】本発明の第二の実施の形態に係る斜視図で、（ａ）が第一可動体、（ｂ）が第二可動体である。
【図１５】本発明の第三の実施の形態に係る充電装置の正面断面図で、電子機器を装着する前の状態を示す図である。
【図１６】図１５と同様な図で、電子機器を装着した状態を示す図である。
【図１７】本発明の第三の実施の形態に係る第一可動体及び第二可動体の作動状態を示す正面図である。
【図１８】本発明の第三の実施の形態に係る斜視図で、（ａ）が第一可動体、（ｂ）が第二可動体、（ｃ）が（ｂ）におけるｃ部分の拡大図である。
【図１９】本発明の第四の実施の形態に係る充電装置の右背面側からの断面斜視図である。
【図２０】従来の充電装置の斜視図である。
【図２１】図２０の正面断面図で、電子機器を装着する前の状態を示す図である。
【図２２】図２０の正面断面図で、電子機器を装着した状態を示す図である。
【発明を実施するための形態】
【００１９】
以下、本発明の実施の形態を添付した図面により詳細に説明する。
本発明の第一の実施の形態に係る充電装置について、図１〜図１０に基づき説明する。
【００２０】
１は、携帯電話機などの電子機器７１の内蔵電池を充電する充電装置である。
充電装置１は、電子機器７１を装着する装着部２を有するケース３と、前記装着部２に設けた一対の開口部２１からケース３外に突出する突出状態とケース３内に引込む引込み状態とに切替可能な一対の給電端子４とを備えている。
【００２１】
そして、充電装置１は、図４に示すように電子機器７１が前記装着部２に装着されたとき、該電子機器７１の一対の充電端子７２と前記一対の給電端子４とが接触して該電子機器７１の内蔵電池を充電するようにしている。
第一可動体５及び第二可動体６をそれぞれ前記ケース３内に設けた支点７により傾動可能に形成すると共に、前記一対の給電端子４のうち一方の給電端子４ａを前記第一可動体５の傾動に連動させ、他方の給電端子４ｂを前記第二可動体６の傾動に連動させるようしている。
【００２２】
前記第一可動体５は、一端に前記装着部２に装着された前記電子機器７１により押される突出押部５１を設け、中間に前記支点７で支持される支持部５２を設け、他端に下側当接部５３を設けている。
前記第二可動体６は、一端を前記ケース３内に位置させ、中間に前記支点７で支持される支持部６２を設け、他端に上側当接部６３を設けている。
【００２３】
図１０に示すように、前記第一可動体５の突出押部５１を前記装着部２の外側に突出させる方向に付勢する突出押部用ばね８を前記ケース３内に設けており、前記装着部２に電子機器７１が装着されていないとき、前記突出押部５１が装着部２の穴部２２から突出すると共に、第一可動体５の傾動に連動する一方の給電端子４ａが装着部２に設けた開口部２１からケース３内に引込む引込み状態となるようにいる。
また、図１０及び図３に示すように、前記第二可動体６の上側当接部６３を前記第一可動体５の下側当接部５３の上に当接させるように付勢すると共に前記第一可動体５の傾動に連動して傾動可能で長手方向に滑動可能に付勢する当接兼連動ばね９を前記ケース３内に設けており、前記装着部２に電子機器７１が装着されていないとき、第二可動体６の傾動に連動する他方の給電端子４ｂが装着部２に設けた開口部２１からケース３内に引込む引込み状態となるようにしている。
【００２４】
なお、図１は、前記装着部２に電子機器７１が装着されていないときを示しているが、説明のために電子機器７１及び一対の給電端子４を仮想線で表わしている。
そして、図３〜図５に示すように、前記突出押部用ばね８及び前記当接兼連動ばね９は、前記電子機器７１が前記装着部２に装着されていないとき、前記第一可動体５の突出押部５１を前記装着部２の外側に突出するように付勢すると共に前記一対の給電端子４を前記引込み状態とし、前記電子機器７１が前記装着部２に装着されたとき、該突出押部用ばね８及び当接兼連動ばね９の付勢力に打ち勝って前記第一可動体５及び前記第二可動体６を傾動させて前記一対の給電端子４を前記電子機器７１の一対の充電端子７２と接触させて電子機器７１の内蔵電池を充電するようにしている。
【００２５】
以下、ケース３、一対の支点７、第一可動体５、第二可動体６、一対の給電端子４、突出押部用ばね８、当接兼連動ばね９などの具体的な構成について、図面を参照しながら説明する。
ケース３は、ケース蓋板３１とケース底板３２とから形成しており、ケース蓋板３１に構成部品を取付けると共に、ケース蓋板３１の前部側に前記装着部２を形成している。
【００２６】
装着部２は、図１及び図７に示すように、前部が開放され、底板２３と左右側壁２４と後壁２５とを有し、後壁２５には、左右一対の係止フック１０の開口部２５ａと、充電回路に介設され電子機器７１が装着部２に装着されたときにＯＮとなるスイッチ用釦１１の開口部２５ｂと、電子機器７１のカメラのレンズの逃げのための窪み部２５ｃとを形成し、前記一対の開口部２５ａの近傍に電子機器７１の脱着時の傷付きを防止する一対のシート１２を貼付し、底板２３には上述した開口部２１及び穴部２２を形成している。
左右一対の支点７は、図７〜図１０に示すように、ケース蓋板３１に一体に形成し下端を逆Ｕ字状とした二対のリブ３１ａと、ケース底板３２に一体に形成した二対のリブ３２ａとを左右及び前後に設けることにより形成している。
【００２７】
第一可動体５は、上述したように、一端に突出押部５１を設け、中間に支持部５２を設け、他端に下側当接部５３を設けており、支持部５２は、図７〜図１０に示すように、軸状に形成して、軸状の支持部５２の前後２箇所を、前記支点７に軸支することにより傾動可能としている。
また、第二可動体６は、上述したように、一端を前記ケース３内に位置させ、中間に支持部６２を設け、他端に上側当接部６３を設けており、支持部６２は第一可動体５の支持部５２と同様に、図７〜図１０に示すように、軸状に形成して、軸状の支持部６２の前後を、前記支点７に軸支することにより傾動可能としている。
【００２８】
第一可動体５の下側当接部５３は、図６（ａ）及び（ｃ）に示すように、断面正方形の上角部を断面円弧状５３ａとし、かつ、この断面円弧状５３ａが円弧形成前の上面５３ｂに対して上方に盛上るように円弧中心を位置させており、また、断面円弧状５３ａの両側縁も小さな丸み５３ｃを形成している。
第二可動体６の上側当接部６３は、図６（ｂ）に示すように、下面６３ａが平坦で上面６３ｂが先端側に下降して厚みが先端側で薄くなる楔状に形成している。
【００２９】
このように形成して、第一可動体５の下側当接部５３の断面円弧状５３ａの上に第二可動体６の上側当接部６３の下面６３ａを当接させて、装着部２に電子機器７１を装着することにより、図３〜図５に示すように、両当接部５３、６３の当接・滑動を滑らかにすることができ、両当接部５３、６３の傷付き防止及び異音発生を防止することができるのである。
一対の給電端子４のうち一方の給電端子４ａは、導電性及び弾性のあるスプリング線で形成して、第一可動体５の軸状の支持部５２でコイル状部４ｃを形成し、第一可動体５の一端部５４で基板１３からの接続線１３ａに接続しており、前記接続線１３ａの途中に前記スイッチ用釦１１により作動するスイッチを設けている。
【００３０】
また、一対の給電端子４のうち他方の給電端子４ｂは、導電性及び弾性のあるスプリング線で形成して、図２に示すように、第二可動体６の軸状の支持部６２でコイル状部４ｄを形成し、第二可動体６の一端部６４で基板１３からの接続線１３ｂに接続している。
突出押部用ばね８は、図１０に示すように、前記ケース底板３２に一体に形成したリブ３２ｂに、一端８ａを固定し、中間のコイル状部８ｂを第一可動体５の軸状の支持部５２に巻き付け、他端８ｃを第一可動体５の一端側５５に固定しており、上述したように、前記第一可動体５の突出押部５１を前記装着部２の外側に突出させる方向に付勢するようにして、前記装着部２に電子機器７１が装着されていないとき、前記突出押部５１が装着部２の穴部２２から突出すると共に、第一可動体５の傾動に連動する一方の給電端子４ａが装着部２に設けた開口部２１からケース３内に引込む引込み状態となるようにしている。
【００３１】
当接兼連動ばね９は、図１０に示すように、前記ケース底板３２に一体に形成したリブ３２ｂに、一端９ａを固定し、中間のコイル状部９ｂを第２可動体６の軸状の支持部６２に巻き付け、他端９ｃを第二可動体６の一端側６５に固定しており、上述したように、前記第二可動体６の上側当接部６３を前記第一可動体５の下側当接部５３の上に当接させるように付勢すると共に前記第一可動体５の傾動に連動して傾動可能で長手方向に滑動可能に付勢するようにして、前記装着部２に電子機器７１が装着されていないとき、第二可動体６の傾動に連動する他方の給電端子４ｂが装着部２に設けた開口部２１からケース内３に引込む引込み状態となるようにしている。
なお、図２において、１０ａは一対の係止フック１０を電子機器７１の係合部に係止させるように付勢する係止フック用ばね、１４はコネクタ１４ａを有する電源コードである。
【００３２】
次に、本発明の第二の実施の形態に係る充電装置について、図１１〜図１４に基づき説明する。
この第二の実施の形態は、第一の実施の形態における第一可動体５の下側当接部５３の変形例であり、図１１〜図１４は第一の実施の形態の図３〜図６にそれぞれ対応する図である。
【００３３】
以下、第一の実施の形態と同様な構成については、同一の符号を付して説明を省略ないし簡略にし、第一の実施の形態と異なる構成について詳細に説明する。
第二の実施の形態では、第一可動体５ａの下側当接部５３ｄは、図１４（ａ）に示すように、その上面５３ｅに半球状部５３ｆを突出形成したものである。
【００３４】
第二の実施の形態における第一可動体５ａの下側当接部５３ｄと、第二可動体６の上側当接部６３との当接・滑動は、図１１〜図１３に示すように、点接触に近い状態で行われるのに対し、第一の実施の形態における第一可動体５の下側当接部５３と、第二可動体６の上側当接部６３との当接・滑動は線接触に近い状態で行われる点で異なっている。
【００３５】
次に、本発明の第三の実施の形態に係る充電装置について、図１５〜図１８に基づき説明する。
この第三の実施の形態は、第一の実施の形態における第一可動体５の下側当接部５３及び第二可動体６の上側当接部６３の変形例であり、図１５〜図１８は第一の実施の形態の図３〜図６にそれぞれ対応する図である。
【００３６】
以下、第一の実施の形態と同様な構成については、同一の符号を付して説明を省略ないし簡略にし、第一の実施の形態と異なる構成について詳細に説明する。
第三の実施の形態では、図１８（ａ）に示すように、第一可動体５ｂの下側当接部５３ｇは、上面５３ｈを平面状部５３ｉとすると共に、第二可動体６ｂの上側当接部６３ｃは、第一の実施の形態における第一可動体５の下側当接部５３に形成した断面円弧状５３ａ及び丸み５３ｃと同様な形状で、下角部を断面円弧状６３ｄとし、かつ、この断面円弧状６３ｄが円弧形成前の下面６３ｅに対して下方に膨出するように円弧中心を位置させており、また、断面円弧状６３ｄの両側縁に小さな丸み６３ｆを形成している。
【００３７】
第三の実施の形態における第一可動体５ｂの下側当接部５３ｇと、第二可動体６ｂの上側当接部６３ｃとの当接・滑動は、図１５〜図１７に示すように、第一の実施の形態における第一可動体５の下側当接部５３と、第二可動体６の上側当接部６３との当接・滑動と同様に線接触に近い状態で行われるのである。
以上の第一〜第三の実施の形態では、第一可動体の下側当接部及び第二可動体の上側当接部のうち、一方の当接部を平面状とし、他方の当接部を断面円弧状又は半球状部としたが、これらの形状に限らず、当接・滑動が滑らかとなる形状であれば足りる。
【００３８】
また、以上の第一〜第三の実施の形態では、第一可動体及び第二可動体の材質として、両当接部の摺動特性に優れ、強度の大きいポリアセタールを用いるのであるが、他の合成樹脂材料でもよいことは勿論である。
さらに、以上の第一〜第三の実施の形態では、第二可動体６、６ｂの一端については、第一可動体５、５ａ、５ｂの一端に設けた突出押部５１を除去した形状で、ケース内１に位置させているが、第二可動体６、６ｂの一端の形状については各種の変形を行うことができる。
【００３９】
また、以上の第一〜第三の実施の形態では、第一可動体５、５ａ、５ｂの突出押部５１を装着部２の外側に突出させる方向に付勢する突出押部用ばね８と、第二可動体６、６ｂの上側当接部６３、６３ｃを第一可動体５、５ａ、５ｂの下側当接部５３、５３ｄ、５３ｇの上に当接させるように付勢すると共に第一可動体５、５ａ、５ｂの傾動に連動して傾動可能で長手方向に滑動可能に付勢する当接兼連動ばね９を用いたが、前記突出押部用ばね８を除去すると共に、当接兼連動ばね９に替えて当接兼傾動ばねを用いることができる。
以下、本発明の第四の実施の形態として、突出押部用ばねを除去すると共に、当接兼傾動ばねを用いた充電装置を図１９に基づいて説明する。
【００４０】
図１９は、第一の実施の形態における図１０に対応する図であり、図１０と同一の構成については、同一の符号を付して説明を省略し、図１０と異なる構成について詳細に説明する。
当接兼傾動ばね１５は、図１９に示すように、前記ケース底板３２に一体に形成したリブ３２ｂに、一端１５ａを固定し、中間のコイル状部１５ｂを第２可動体６の軸状の支持部６２に巻き付け、他端１５ｃを第二可動体６の一端側６５に固定しており、前記第二可動体６の上側当接部６３を前記第一可動体５ｃの下側当接部５３の上に当接させるように付勢すると共に前記第一可動体５ｃの傾動に連動して傾動可能で長手方向に滑動可能に付勢するようにしている。
【００４１】
そして、当接兼傾動ばね１５は、前記装着部２に電子機器７１が装着されていないとき、前記第一可動体５ｃの前記突出押部５１を前記装着部２の外側に突出するように付勢すると共に前記一対の給電端子４を前記引込み状態とし、前記電子機器７１が前記装着部２に装着されたとき、この当接兼傾動ばね１５の付勢力に打ち勝って前記第一可動体５ｃ及び前記第二可動体６を傾動させて前記一対の給電端子４を前記電子機器７１の一対の充電端子７２と接触させて、電子機器７１の内蔵電池を充電するようにしている。
なお、当接兼傾動ばね１５のばね定数は、第一の実施の形態における当接兼連動ばね９のばね定数よりも除去した突出押部用ばね８のばね定数を勘案して大きくしている。
【００４２】
また、第一の実施の形態における第一可動体５の突出押部用ばね８を除去したので、第四の実施の形態では、第一可動体５ｃの支持部５２ａの形状を簡単にしている。
以上の第四の実施の形態では、突出押部用ばねを除去できるので、部品点数を削減でき、製作及び組立を一層簡単に行うことができるのである。
【００４３】
以上の第四の実施の形態は、第一の実施の形態における突出押部用ばね８を除去したが、第二及び第三の実施の形態における突出押部用ばね８を除去してもよいことは、勿論である。
以上の第一〜第四の実施の形態では、電子機器７１として携帯電話機を例に説明したが、電子機器７１を携帯用の各種電子機器とすることができる。
【符号の説明】
【００４４】
１    充電装置
２    装着部
３    ケース
４、４ａ、４ｂ    給電端子
５、５ａ、５ｂ、５ｃ    第一可動体
６、６ｂ    第二可動体
７    支点
８    突出押部用ばね
９    当接兼連動ばね
１５  当接兼傾動ばね
２１  開口部
５１  突出押部
５２、５２ａ  支持部
５３、５３ｄ、５３ｇ  下側当接部
５３ａ  断面円弧状
６３、６３ｃ  上側当接部
７１  電子機器
７２  充電端子
【図１】
0005536589.tif 000002
【図２】
0005536589.tif 000003
【図３】
0005536589.tif 000004
【図４】
0005536589.tif 000005
【図５】
0005536589.tif 000006
【図６】
0005536589.tif 000007
【図７】
0005536589.tif 000008
【図８】
0005536589.tif 000009
【図９】
0005536589.tif 000010
【図１０】
0005536589.tif 000011
【図１１】
0005536589.tif 000012
【図１２】
0005536589.tif 000013
【図１３】
0005536589.tif 000014
【図１４】
0005536589.tif 000015
【図１５】
0005536589.tif 000016
【図１６】
0005536589.tif 000017
【図１７】
0005536589.tif 000018
【図１８】
0005536589.tif 000019
【図１９】
0005536589.tif 000020
【図２０】
0005536589.tif 000021
【図２１】
0005536589.tif 000022
【図２２】
0005536589.tif 000023